(57)【要約】      （修正有）【課題】キーボードにおける複数のリンク組みが列ずつに組立てられるキーボード及びその組立てに使用されるリンク組みセットを提供する。【解決手段】キーボードベースと、薄膜回路基板と、キートップと、第１リンクレバー３７と第２リンクレバー３９とが枢接機構により互いに交差するように枢接されているリンク組み３１と、前記リンク組み３１を貫通してから前記キートップと接続している弾性部と、からなった入力キースイッチ３を複数有する、入力キースイッチセットと、を備えているキーボードにおいて、前記枢接機構は、第１リンクレバー３７の上面に形成された雌部材３４と第２リンクレバー３９の側面から突出した雄部材３５とからなり、且つ、雄部材３５と雌部材３４とは、雄部材３５が雌部材３４を有する面の正面から雌部材３４の開口部３４１，３４２に押されると雌部材３４内に押入されて雌部材３４内に制限されている。【選択図】図２
0003151388.tif 000002
【実用新案登録請求の範囲】
【請求項１】
キーボードベースと、
前記キーボードベースの上面に設けられている薄膜回路基板と、
前記薄膜回路基板の上方に実装されており、且つ、キートップと、該キートップの下方に、第１リンクレバーと第２リンクレバーとが上下の方向に斜めとなり、且つ、第１枢接機構により互いに交差するように枢接されてなる上、それぞれの上端が第２枢接機構及び第３枢接機構により前記キートップに枢支され、下端が第４枢接機構及び第５枢接機構により前記キーボードベースに枢支され、それにより、該キートップを前記キーボードベースに昇降可能に支持しているリンク組みと、
前記薄膜回路基板の上方に設けられる上、上へ前記リンク組みを貫通してから前記キートップと接続していて前記キートップへの押圧により前記薄膜回路基板の上面と接触することができる弾性部と、からなった入力キースイッチを複数有する、入力キースイッチセットと、を備えているキーボードにおいて、
前記枢接機構に、少なくとも前記第１枢接機構は、前記第１リンクレバーの上下いずれかの面に形成された雌部材と前記第２リンクレバーの側面から突出するように形成された雄部材とからなり、
且つ、該雄部材と該雌部材とは、該雄部材が該雌部材を有する面の正面から該雌部材の開口部に押されるとそれ自体の可撓性により弾性変形して前記雌部材内に押入され、また、該雄部材が該雌部材に押入されてからそれ自体の可撓性により元の形状に回復すると該雌部材内に制限されて該雌部材の開口部から離脱しにくい構成関係になっていることを特徴とするキーボード。
【請求項２】
前記雌部材は、前記第１リンクレバーの前記上下いずれかの面に前記開口部、また、前記第１リンクレバーの少なくとも一側面にも他の開口部が開いている開槽となっており、
該開槽は、更に、前記開口部から奥の方へと、隙間がそれに入れられる前記雄部材のいずれの方向における幅よりも広い先端部と、該先端部から徐々に縮小して前記雄部材のいずれの方向における幅より狭くなった中段部と、該中段部に連続する上、曲がりながら前記雄部材のいずれの方向における幅より広くなった枢支部とからなっていることを特徴とする請求項１に記載のキーボード。
【請求項３】
前記枢支部は、前記中段部の先端から突然前記先端部の方へ反ったことを特徴とする請求項２に記載のキーボード。
【請求項４】
前記各入力キースイッチにおいて、
前記雌部材の、前記他の開口部と向かっている面は、上から下へと徐々に出てなった斜面であり、且つ、前記第２リンクレバーが上から下へと前記第１リンクレバーと重なるように置かれた時、前記雄部材３５の先端部の、前記雌部材の開口部と向かう部分は、前記雌部材の斜面と合うように、前記雄部材の付け根の方から先端へと徐々にテーパーされて斜面となっていることを特徴とする請求項２又は請求項３に記載のキーボード。
【請求項５】
前記第２枢接機構、前記第３枢接機構、前記第４枢接機構、及び、前記第５枢接機構は、いずれも上下の方向から互いに枢接できるものであることを特徴とする請求項１から請求項４のいずれか一項に記載のキーボード。
【請求項６】
前記第２枢接機構、前記第３枢接機構、前記第４枢接機構、及び、前記第５枢接機構は、いずれもフックと係止軸とからなった引っ掛け機構であり、
また、前記第２枢接機構と前記第３枢接機構とは、その一つの引っ掛け機構におけるフックと係止軸とが互いに引っ掛け合うと、他の一つの引っ掛け機構におけるフックと係止軸とは、押されなければ互いに引っ掛け合う位置に入られないようになっており、
前記第４枢接機構と前記第５枢接機構とは、その一つの引っ掛け機構におけるフックと係止軸とが互いに引っ掛け合うと、他の一つの引っ掛け機構におけるフックと係止軸とは、押されなければ互いに引っ掛け合う位置に入られないようになっていることを特徴と請求項５に記載のするキーボード。
【請求項７】
前記第２枢接機構は、前記第１リンクレバーの上端近く、または前記キートップの下面の一つに形成されたフックと、前記第１リンクレバーの上端近く、または前記キートップの下面の他の一つに形成された係止軸とからなっている引っ掛け機構であり、
前記第３枢接機構は、前記第２リンクレバーの上端近く、または前記キートップの下面の一つに形成されたフックと、前記第２リンクレバーの上端近く、または前記キートップの下面の他の一つに形成された係止軸とからなっている引っ掛け機構であり、
前記第４枢接機構は、前記第１リンクレバーの下端近く、または前記キーボードベースの上面の一つに形成されたフックと、前記第１リンクレバーの下端近く、または前記キーボードベースの上面の他の一つに形成された係止軸とからなっている引っ掛け機構であり、
前記第５枢接機構は、前記第２リンクレバーの上端近く、または前記キーボードベースの上面の一つに形成されたフックと、前記第２リンクレバーの上端近く、または前記キーボードベースの上面の他の一つに形成された係止軸とからなっている引っ掛け機構であることを特徴と請求項６に記載のするキーボード。
【請求項８】
上下の方向に沿って入力キースイッチセットと、薄膜回路基板と、キーボードベースとから並んでなるキーボードの組立てに使用される、複数のリンク組みを有するリンク組みセットであって、
前記いずれのリンク組みも、第１リンクレバーと第２リンクレバーとが上下の方向に斜めとなり、且つ、互いに交差するように枢接されてなり、
前記各リンク組みにおける第１リンクレバーは、それぞれ第１架橋部を介して他のあらゆる第１リンクレバーと列になるように連結し、
前記各リンク組みにおける第２リンクレバーは、それぞれ第２架橋部を介して他のあらゆる第２リンクレバーと列になるように連結し、
また、前記第１リンクレバーと前記第２リンクレバーとの枢接は、前記第１リンクレバーの上下いずれかの面に形成された雌部材と前記第２リンクレバーの側面から突出するように形成された雄部材とからなり、
且つ、該雄部材と該雌部材とは、該雄部材が該雌部材を有する面の正面から該雌部材の開口部に押されるとそれ自体の可撓性により弾性変形して前記雌部材内に押入され、また、該雄部材が該雌部材に押入されてからそれ自体の可撓性により元の形状に回復すると該雌部材内に制限されて該雌部材の開口部から離脱しにくい構成関係になっていることを特徴とするリンク組みセット。
【請求項９】
前記雌部材は、前記第１リンクレバーの前記上下いずれかの面に前記開口部、また、前記第１リンクレバーの少なくとも一側面にも他の開口部が設けてある開槽となっており、
該開槽は、更に、前記開口部から奥の方へと、隙間がそれに入れられる前記雄部材の幅より広い先端部と、該先端部から徐々に縮小して前記雄部材の幅より狭くなった中段部と、該中段部に連続する上、曲がりながら前記雄部材の幅より広くなった枢支部とからなっていることを特徴とする請求項８に記載のリンク組みセット。
【請求項１０】
前記枢支部は、前記中段部の先端から突然前記開口部の方へ反ったことを特徴とする請求項９に記載のリンク組みセット。
【考案の詳細な説明】
【技術分野】
【０００１】
本考案は、キーボード及びリンク組みセットに関し、特に、その複数のリンク組みが列ずつに組立てられるキーボード及び該キーボードの組立てに使用されるリンク組みセットに関するものである。
【背景技術】
【０００２】
図８及び図９に示したように、従来のキーボードは、キーボードベース１１と、キーボードベース１１の上面に設けられている薄膜回路基板１２と、薄膜回路基板１２の上面に敷設されている弾性シート１３と、弾性シート１３の上方に実装されており、且つ、キートップ１５と、該キートップ１５の下方に、第１リンクレバー１６１と第２リンクレバー１６２とが枢接機構により互いに交差するように枢接されてなる上、それぞれの上端がキートップ１５に枢支され、下端がキーボードベース１１に枢支され、それにより、該キートップ１５を前記キーボードベース１１に昇降可能に支持しているリンク組み１６と、弾性シート１３の上面と接続している上、上へリンク組み１６を貫通してからキートップ１５と接続していて上からキートップ１５への押圧により薄膜回路基板１２の上面と接触することができる弾性部１７と、からなった入力キースイッチ１を複数有する、入力キースイッチセット（図にせず）と、を備えている。
【０００３】
前記枢接機構は、図示のように、第１リンクレバー１６１の側面に開口している雌部材１６３と前記第２リンクレバー１６２の側面から突出している雄部材１６４とからなっているが、第１リンクレバー１６１及び第２リンクレバー１６２は、通常、いずれも上下の方向へ開口している中空部を有するフレーム状となっているので、リンク組み１６そのものの組立ては、まず、第１リンクレバー１６１のフレームを両側に引っ張ってから第２リンクレバー１６２をその中空部内に挿入し、そして、引っ張られた第１リンクレバー１６１をリリースして第２リンクレバー１６２の雄部材１６４を横の反対両側からくる第１リンクレバー１６１の雌部材１６３に挿入させることにより行わなければならない。
【０００４】
従って、従来構成のキーボードにおける複数のリンク組み１６それ自体は、一組ずつに組立てられなければならない。なお、それ自体が一組ずつに組立てられなければならない以上、それらのキーボードベース２１やキートップ３２への組立ても一組ずつに組立てられなければならない。
【０００５】
即ち、従来構成のキーボードにおける複数のリンク組み１６は、それ自体の組立てからキーボードベース２１やキートップ３２への組立てまでも、一組ずつに組立てられなければならず、手間がかなりかかる。
【考案の概要】
【考案が解決しようとする課題】
【０００６】
前記従来のキーボードの欠点を改善するために、本考案は、キーボードにおける複数のリンク組みが列ずつに組立てられるキーボード及びその組立てに使用されるリンク組みセットを提供することを目的とする。
【課題を解決するための手段】
【０００７】
前記目的を達成するために、本考案は、キーボードベースと、前記キーボードベースの上面に設けられている薄膜回路基板と、前記薄膜回路基板の上方に実装されており、且つ、キートップと、該キートップの下方に、第１リンクレバーと第２リンクレバーとが上下の方向に斜めとなり、且つ、第１枢接機構により互いに交差するように枢接されてなる上、それぞれの上端が第２枢接機構及び第３枢接機構により前記キートップに枢支され、下端が第４枢接機構及び第５枢接機構により前記キーボードベースに枢支され、それにより、該キートップを前記キーボードベースに昇降可能に支持しているリンク組みと、前記薄膜回路基板の上方に設けられる上、上へ前記リンク組みを貫通してから前記キートップと接続していて前記キートップへの押圧により前記薄膜回路基板の上面と接触することができる弾性部と、からなった入力キースイッチを複数有する、入力キースイッチセットと、を備えているキーボードにおいて、前記枢接機構に、少なくとも前記第１枢接機構は、前記第１リンクレバーの上下いずれかの面に形成された雌部材と前記第２リンクレバーの側面から突出するように形成された雄部材とからなり、且つ、該雄部材と該雌部材とは、該雄部材が該雌部材を有する面の正面から該雌部材の開口部に押されるとそれ自体の可撓性により弾性変形して前記雌部材内に押入され、また、該雄部材が該雌部材に押入されてからそれ自体の可撓性により元の形状に回復すると該雌部材内に制限されて該雌部材の開口部から離脱しにくい構成関係になっているキーボードを提供する。
【０００８】
また、本考案は、上下の方向に沿って入力キースイッチセットと、薄膜回路基板と、キーボードベースとから並んでなるキーボードの組立てに使用される複数のリンク組みを有するリンク組みセットであって、前記いずれのリンク組みも、第１リンクレバーと第２リンクレバーとが互いに交差するように枢接されてなり、前記各リンク組みにおける第１リンクレバーは、それぞれ第１架橋部を介して他のあらゆる第１リンクレバーと列になるように連結し、前記各リンク組みにおける第２リンクレバーは、それぞれ第２架橋部を介して他のあらゆる第２リンクレバーと列になるように連結し、また、前記第１リンクレバーと前記第２リンクレバーとの枢接は、前記第１リンクレバーの上下いずれかの面に形成された雌部材と前記第２リンクレバーの側面から突出するように形成された雄部材とからなり、且つ、該雄部材と該雌部材とは、該雄部材が該雌部材を有する面の真正面から該雌部材の開口部に押されるとそれ自体の可撓性により弾性変形して前記雌部材内に押入され、また、該雄部材が該雌部材に押入されてからそれ自体の可撓性により元の形状に回復すると該雌部材内に制限されて該雌部材の開口部から離脱しにくい構成関係になっていることを特徴とするリンク組みセットをも提供する。
【考案の効果】
【０００９】
前記リンク組みセットの構成は、キーボードにおける複数のリンク組みそのものを列ずつに提供することができる上、それを利用してリンク組みを列ずつにキーボードベースに取り付けて前記キーボードを提供することができるので、キーボードの組立てを簡略化することができる。
【図面の簡単な説明】
【００１０】
【図１】本考案の一実施形態であるキーボードの部分分解図である。
【図２】図１におけるリンク組みの分解拡大図である。
【図３】図２におけるリンク組みにおける第１リンクレバー及び第２リンクレバーの上面図である。
【図４】キートップが押し上げられた状態を示すキーボードの部分断面図である。
【図５】キートップが押し下げられた状態を示すキーボードの部分断面図である。
【図６】本考案の一実施形態であるリンク組みセットの分解図である。
【図７】図６におけるリンク組みセットの組み立てを説明する図面である。
【図８】従来のキーボードの部分分解図である。
【図９】従来のキーボードの部分断面図である。
【考案を実施するための形態】
【００１１】
図１〜図５に示したように、本考案のキーボードは、金属板であるキーボードベース２１と、キーボードベース２１の上面２１０に設けられている薄膜回路基板２２と、薄膜回路基板２２の上面に敷設されている弾性シート２３と、弾性シート２３の上面に実装されている入力キースイッチ３を複数有する入力キースイッチセットと、を備えている。
【００１２】
各入力キースイッチ３は、キートップ３２と、リンク組み３１と、弾性部３３とからなっている。各入力キースイッチ３におけるリンク組み３１は、キートップ３２の下方に、第１リンクレバー３７と第２リンクレバー３９とが第１枢接機構により互いに交差するように枢接されてなる上、それぞれの上端が第２枢接機構及び第３枢接機構により前記キートップ３２に枢支され、下端が第４枢接機構及び第５枢接機構によりキーボードベース２１に枢支され、それにより、該キートップ３２をキーボードベース２１に昇降可能に支持している。
【００１３】
各入力キースイッチ３における弾性部３３は、弾性シート２３の上面２３０と接続している上、上へリンク組み３１を貫通してからキートップ３２とも接続しているので、上からキートップ３２への押圧により薄膜回路基板２２の上面と接触することができる。
【００１４】
また、各リンク組み３１における第１リンクレバー３７及び第２リンクレバー３９は、それぞれ上下の方向へ開口している中空部３７４、３９４を有するフレーム状となる上、キートップ３２が押されているとも押されていないともいつも弾性部３３の貫通に障害をなさないように貫通空間を保留するように構成されている。
【００１５】
前記第１枢接機構は、第１リンクレバー３７のフレーム状の、図中における両上面３７３の内縁に形成された一対の雌部材３４と、第２リンクレバー３９のフレーム状の、図中における両外側面３９６から突出するように形成された一対の雄部材３５と、からなっている。
【００１６】
図２に示したように、各雌部材３４は、第１リンクレバー３７の上面３７３に開口部３４１、また、第１リンクレバー３７の内側面３７５にも他の開口部３４２が開いている開槽となった。該開槽（即ち、雌部材３４）は、更に、開口部３４１から奥の方へと、隙間がそれに入れられる雄部材３５のいずれの方向における幅より広い先端部３４３と、該先端部３４３から徐々に縮小して該雄部材３５のいずれの方向における幅より狭くなった中段部３４４と、該中段部３４４に連続する上、該中段部３４４の先端から突然先端部３４３の方へ反るように曲がりながら該雄部材３５のいずれの方向における幅より広くなった枢支部３４５とからなっている。
【００１７】
雄部材３５と対応する雌部材３４とは、該雄部材３５が該雌部材３４の開口部３４１を有する面３７３の正面より該開口部３４１を経由して先端部３４３内に入れられてから更に押されると、該雄部材３５それ自体の可撓性により弾性変形して中段部３４４、そして枢支部３４５内に押入され、また、該雄部材３５が該雌部材３４の枢支部３４５内に押入されてからそれ自体の可撓性により元の形状に回復すると該雌部材３４内に制限されて該雌部材３４の開口部３４１から離脱しにくい構成関係になっている。雄部材３５が、横からではなく、正面から雌部材３４に押されるため、本考案のリンク組みの組み立ては、従来のリンク組みの組み立てとを比べると、より簡単なのである。
【００１８】
また、雌部材３４の、開口部３４２と向かっている面は、図中の上から下へと徐々に出てなった斜面３４６であり、そしてまた、雄部材３５の先端部の、第２リンクレバー３９が上から下へと第１リンクレバー３７と重なるように置かれた時、雌部材３４の開口部３４１と向かう部分は、前記雌部材３４の斜面３４６と合うように、雄部材３５の付け根の方から先端へと徐々にテーパーされて斜面３５１となっている。そのため、雄部材３５は、特に第２リンクレバー３９が上から下へと第１リンクレバー３７と重なるように置かれる場合、その斜面３５１が雌部材３４における斜面３４６に案内されることにより、雌部材３４内に入れられやすくなる。
【００１９】
各リンク組み３１は、いずれも、そのキートップ３２が上から下へと極端に押されると、第１リンクレバー３７と第２リンクレバー３９とのいずれか一つが、ほぼ完全に他の一つの中空部に収容されるように構成されることが好ましい。本実施例では、第２リンクレバー３９が完全に第１リンクレバー３７の一つの中空部３７４に収容されることができるように構成されている（図５参照）。
【００２０】
前記第２枢接機構、前記第３枢接機構、前記第４枢接機構、及び、前記第５枢接機構は、いずれも横からではなく、正面、即ち上下の方向から互いに枢接できる両手段からなっているものが好ましく、特にフックと係止軸とからなった引っ掛け機構を採用することが好ましい。
【００２１】
例えば、本考案の実施例における第４枢接機構は、第１リンクレバー３７の下端３７２にある一対の孔３７７に形成された一対の係止軸３７８と、キーボードベース２１の上面２１０に形成された一対のフック２１３とからなっている引っ掛け機構であり、第５枢接機構は、第２リンクレバー３９の下端３９１近くに形成された一対の係止軸３９７と、キーボードベース２１の上面２１０に形成された一対のフック２１２とからなっている引っ掛け機構である。
【００２２】
本実施例の各リンク組み３１とキーボードベース２１との枢接は、まず、各第４枢接機構にある一対のフック２１３を共に前記第４枢接機構にある一対の係止軸３７８にかけてから、リンク組み全体を上から下へ（即ち、キートップ３２を押す方向）と押して、第５枢接機構にある係止軸３９７を、第５枢接機構にあるフック２１２内に押入することにより、行われる（図１、図３参照）。これは、第１リンクレバー３７と第２リンクレバー３９とからなっているリンク組み３１が如何に展開されても、その両下端部にある第４枢接機構と第５枢接機構との間の幅がやはりキーボードベース２１上にある第４枢接機構と第５枢接機構との幅より少々狭いので、フック２１２の押されることによる弾性変形がなければ、係止軸３９７がフック２１２と引っ掛け合う位置に入ることが出来ないからである。でも、係止軸３９７がフック２１２と引っ掛け合う位置に入ると、フック２１２の押されることによる変形が直ぐ消えるので、係止軸３９７はフック２１２に係止されてそこから容易に離脱できない上、フック２１２と枢接関係になる。
【００２３】
即ち、本実施例における第４枢接機構と第５枢接機構との配置関係は、第４枢接機構及び第５枢接機構のいずれか一つの引っ掛け機構におけるフックと係止軸とが互いに引っ掛け合うと、他の一つの引っ掛け機構におけるフックと係止軸とは、押されなければ互いに引っ掛け合う位置に入られないように構成されている。
【００２４】
また、第４枢接機構及び第５枢接機構としての引っ掛け機構におけるフック及び係止軸は、必ずしも前記の配置に限らず、例えば、第４枢接機構における引っ掛け機構のフックを、第１リンクレバー３７の下端３７２近くとキーボードベース２１の上面２１０との一つに、係止軸を、第１リンクレバー３７の下端３７２近くとキーボードベース２１の上面２１０との他の一つに、第５枢接機構における引っ掛け機構のフックを、第２リンクレバー３９の下端３９１近くとキーボードベース２１の上面２１０とのどちらか一つに、係止軸を第２リンクレバー３９の下端３９１近くとキーボードベース２１の上面２１０との他の一つにそれぞれ形成されても良い。
【００２５】
なお、図面から完全に見られるのではないが、本考案の実施例における第２枢接機構及び第３枢接機構の構成は、第４枢接機構及び第５枢接機構の構成と同じく、フックと係止軸とからなった引っ掛け機構となっている。
【００２６】
詳細に言うと、第３枢接機構は、第２リンクレバー３９の上端３９２にある一対の孔３９８内に形成された係止軸３９９と、キートップ３２の下面に形成された一対のフック（図にせず）とからなっている引っ掛け機構であり、第２枢接機構は、第１リンクレバー３７の上端３７１近くに形成された一対の係止軸３７９と、キートップ３２の下面に形成された一対のフック（図にせず）とからなっている引っ掛け機構である。
【００２７】
そして、第２枢接機構と第３枢接機構との配置関係も、第４枢接機構と第５枢接機構との配置関係と同様に、その一つの引っ掛け機構におけるフックと係止軸とが互いに引っ掛けると、他の一つの引っ掛け機構におけるフックと係止軸とは、押されなければ互いに引っ掛ける位置に入られないように構成されている。例えば、各リンク組み３１とキートップ３２との枢接は、まず、キートップ３２の下面に形成された第３枢接機構の一対のフック（図にせず）を共に第２リンクレバー３９の上端３９２近くに形成された第３枢接機構の一対の係止軸３９９にかけてから、キートップ３２をリンク組み全体を被るように上から下へと押して、第１リンクレバー３７の上端３７１近くに形成された第２枢接機構の係止軸３７９を、キートップ３２の下面に形成された第２枢接機構のフック（図にせず）内に押入することにより、行われる。その作動原理は、第４枢接機構と第５枢接機構との間の作動とまったく同じなので、ここでそれを省く。
【００２８】
次に、本考案は、上下の方向に沿って入力キースイッチセットと、薄膜回路基板２２と、キーボードベース２１とから並んでなる前記のようなキーボードの組立てに使用されるリンク組みセット３０をも提供する（図６、図７参照）。
【００２９】
リンク組みセット３０とは、複数のリンク組みを列に有するものであって、キーボードにおける複数のリンク組み３１を組み立てる際、それを使用し、一組ずつでなく、列ずつに行うことができるものを言う。
【００３０】
本考案の実施例におけるリンク組みセット３０は、図６に示したように、複数のリンク組み３１からなっている上、各リンク組み３１における第１リンクレバー３７は、それぞれ第１架橋部３６を介して他のあらゆる第１リンクレバー３７と列になるように連結し、各リンク組み３１における第２リンクレバー３９は、それぞれ第２架橋部３８を介して他のあらゆる第２リンクレバー３９と列になるように連結している。
【００３１】
各リンク組み３１における第１リンクレバー３７及び第２リンクレバー３９が前に述べたような構成となっているので、リンク組みセット３０は、単に各第２リンクレバー３９が上から下へと各第１リンクレバー３７と重なるように置かれてから、各第２リンクレバー３９の雄部材３５が各第１リンクレバー３７の雌部材３４の開口部３４１を経由して先端部３４３内に入れられてから更に押されると、各雄部材３５それ自体の可撓性により弾性変形して各雌部材３４における中段部３４４、そして枢支部３４５内に押入されることができ、また、各雄部材３５が各雌部材３４の枢支部３４５内に押入されてからそれ自体の可撓性により元の形状に回復すると各雌部材３４内に制限されて各雌部材３４の開口部３４１から離脱しにくい構成関係になるように組み立てられることができるのである。そのため、キーボードにおける複数のリンク組み３１そのものを、このリンク組みセット３０によって列ずつに提供することができる。その上、前記本考案のキーボードの実施例をも参照すると、キーボードにおける複数のリンク組み３１をキーボードベース２１に組み立てる際、このリンク組みセット３０を利用し、即ち、このリンク組みセット３０における各リンク組み３１の第４枢接機構及び第５枢接機構（例えばフック）とキーボートベース２１にある第４枢接機構及び第５枢接機構（例えば係止軸）とを互いに引っ掛け合うようにさせるとで、複数のリンク組みを列ずつにキーボードベース２１に取り付けることもできる。
【００３２】
このリンク組みセット３０を使用してキーボードにおける複数のリンク組み３１を列ずつにキーボードベースに取り付ける際、各列への取り付けが終わった後、直ぐそのリンク組みセット３０より第１架橋部３６と第２架橋部３８とを取り外してから始めて次の列のリンク組３１を組み立てることが好ましい。
【００３３】
なお、リンク組みセット３０における各リンク組み３１とその対応のキートップ３２との枢接は、前記本考案のキーボードの実施例とまったく同じであるので、その説明を省く。でも、複数のキートップ３２を列に有するキートップセット（図にせず）を提供し、且つ、リンク組みセット３０と合わせて利用すれば、キーボードにおける複数のキートップ３２を、１個ずつでなく、列ずつに取り付けることもできる。
【産業上の利用可能性】
【００３４】
前記リンク組みセットの構成は、キーボードにおける複数のリンク組みそのものを列ずつに提供することができる上、それを利用してリンク組みを列ずつにキーボードベースに取り付けて前記キーボードを提供することができるので、キーボードの組立てを簡略化することができる。
【符号の説明】
【００３５】
２１  キーボードベース
２１０  上面
２１２  フック
２１３  フック
２２  薄膜回路基板
２３  弾性シート
２３０  上面
３  入力キースイッチ
３０  リンク組みセット
３１  リンク組み
３２  キートップ
３３  弾性部
３４  雌部材
３４１  開口部
３４２  開口部
３４３  先端部
３４４  中段部
３４５  枢支部
３４６  斜面
３５  雄部材
３５１  斜面
３６  第１架橋部
３７  第１リンクレバー
３７１  第１リンクレバーの上端
３７２  第１リンクレバーの下端
３７３  上面
３７４  中空部
３７５  側面
３７７  孔
３７８  係止軸
３７９  係止軸
３８  第２架橋部
３９  第２リンクレバー
３９１  第２リンクレバーの下端
３９２  第２リンクレバーの上端
３９４  中空部
３９６  側面
３９７  係止軸
３９８  孔
３９９  係止軸
【図１】
0003151388.tif 000003
【図２】
0003151388.tif 000004
【図３】
0003151388.tif 000005
【図４】
0003151388.tif 000006
【図５】
0003151388.tif 000007
【図６】
0003151388.tif 000008
【図７】
0003151388.tif 000009
【図８】
0003151388.tif 000010
【図９】
0003151388.tif 000011